(57)【特許請求の範囲】
【請求項１】
虫を誘引する誘虫部と、前記誘虫部によって誘引された虫に電撃を与える、陽極と陰極が互いに対向配置された電極部とを備える捕虫器であって、
前記電極部は、前記陽極及び陰極の各々に他極との距離が短くなるように延出する凸状部を有し、
前記陽極の凸状部及び前記陰極の凸状部は、互いに対峙するように配置されていることを特徴とする捕虫器。
【請求項２】
前記凸状部は、前記陽極及び陰極の各々に複数配されており、
前記陽極及び陰極の各々における前記複数の凸状部間の間隔は、本器具が主に捕虫対象とする昆虫の平均体長以下であることを特徴とする請求項１記載の捕虫器。
【請求項３】
前記凸状部は、前記陽極又は陰極のうち少なくとも一方の極の表面を凹凸加工して成ることを特徴とする請求項１又は請求項２に記載の捕虫器。
【請求項４】
前記陽極又は陰極は長尺板状の部材で成り、その幅方向両端縁に前記凹凸加工が施されており、その凹凸加工により形成された凹状部と凸状部が前記両端縁において互いに入れ違いに配置されていることを特徴とする請求項３に記載の捕虫器。
【請求項５】
前記陽極又は陰極は棒状部材で成り、その外周に凹凸加工によって凹状部と凸状部が螺旋状に配置されていることを特徴とする請求項３に記載の捕虫器。
【発明の詳細な説明】
【技術分野】
【０００１】
本発明は、ハエや蚊等の飛翔性を持った害虫に電撃を与える電極部を備えた捕虫器に関する。
【背景技術】
【０００２】
従来から、上述のような電極部として、棒状の陽極と陰極が互い違いに対向配置されて格子状となっており、両極間に高電圧が印加されることにより陽極と陰極との隙間を通過する虫に放電による電撃を与えるものが知られている（例えば、特許文献１参照）。
【特許文献１】特開２００３−２３９０８号公報
【発明の開示】
【発明が解決しようとする課題】
【０００３】
しかしながら、上述したような従来の技術では、陽極と陰極との隙間がその長手方向において常に略一定となっているため、虫が陽極と陰極との隙間を通過するとき、その虫の大きさに応じて絶縁破壊が発生し、放電領域が広域に渡ることにより電撃音が大きくなっていた。
【０００４】
本発明は、上記問題を解決するためになされたものであり、虫に電撃を与える際に生じる電撃音を小さくすることができる捕虫器を提供することを目的とする。
【課題を解決するための手段】
【０００５】
上記目的を達成するために請求項１の発明は、虫を誘引する誘虫部と、前記誘虫部によって誘引された虫に電撃を与える、陽極と陰極が互いに対向配置された電極部とを備える捕虫器であって、前記電極部は、前記陽極及び陰極の各々に他極との距離が短くなるように延出する凸状部を有し、前記陽極の凸状部及び前記陰極の凸状部は、互いに対峙するように配置されているものである。
【０００６】
請求項２の発明は、請求項１に記載の発明において、前記凸状部は、前記陽極及び陰極の各々に複数配されており、前記陽極及び陰極の各々における前記複数の凸状部間の間隔は、本器具が主に捕虫対象とする昆虫の平均体長以下であるものである。
【０００７】
請求項３の発明は、請求項１又は請求項２に記載の発明において、前記凸状部は、前記陽極又は陰極のうち少なくとも一方の極の表面を凹凸加工して成るものである。
【０００８】
請求項４の発明は、請求項３に記載の発明において、前記陽極又は陰極は長尺板状の部材で成り、その幅方向両端縁に前記凹凸加工が施されており、その凹凸加工により形成された凹状部と凸状部が前記両端縁において互いに入れ違いに配置されているものである。
【０００９】
請求項５の発明は、請求項３に記載の発明において、前記陽極又は陰極は棒状部材で成り、その外周に凹凸加工によって凹状部と凸状部が螺旋状に配置されているものである。
【発明の効果】
【００１０】
請求項１の発明によれば、電極部において凸状部が配された箇所では、陽極と陰極との間隔が局地的に小さくなるので、陽極と陰極との隙間を通過する虫に電撃を与える際に放電領域が狭くなり、電撃音を小さくすることができる。
【００１１】
請求項２の発明によれば、凸状部同士の間隔が、本器具が主に捕虫対象とする昆虫の平均体長以下であるので、虫が電極部による放電を受けることなく両極間をすり抜けることが起こり難い。
【００１２】
請求項３の発明によれば、陽極又は陰極に後付で凸状部を設けるのではなく、陽極又は陰極において凸状部が一体的に成形されることになるので、量産が容易であって低コスト化を実現できる。
【００１３】
請求項４の発明によれば、凹凸加工により形成された凹状部と凸状部が、陽極又は陰極の幅方向両端縁において入れ違いに配置されているので、陽極又は陰極の幅寸法がその長手方向において略一定に保たれる。そのため、陽極又は陰極において機械的強度の弱くなる箇所が配されることがない。
【００１４】
請求項５の発明によれば、陽極又は陰極の外周に凹凸加工によって凹状部と凸状部が螺旋状に配置されているので、陽極又は陰極において凹状部同士が近接配置されることがなく、機械的強度の弱くなる箇所が配されることがない。
【発明を実施するための最良の形態】
【００１５】
（第１の実施形態）
本発明の第１の実施形態に係る電撃殺虫器（捕虫器）について図１乃至図６を参照して説明する。図１、図２は本実施形態に係る電撃殺虫器１の概略構成を示す。電撃殺虫器１は、ハエや蚊等の飛翔性を持つ害虫に電撃を与えて当該虫を死滅させるものであり、虫の多い屋外空間や屋外空間に面する建物内の空間等に設置される。電撃殺虫器１は、虫１０を誘引する光を出射する誘虫光源（誘虫部）２と、誘虫光源２から出射された光により誘引された虫１０に放電による電撃を与える電極部３と、誘虫光源２及び電極部３を収容する筐体４と、電極部３により電撃を受けた虫１０を受容する虫受皿５とを備える。電極部３は、誘虫光源２の前方及び後方に設けられている。筐体４は、その前方及び後方に誘虫光源２から出射された光を外部に放出するための開口４１と、開口４１を覆うガード部４２と、本器具１を建物の天井部分に吊り下げるためのチェーン４３とを有する。虫受皿５は、筐体４の底部に着脱自在に設けられる。
【００１６】
誘虫光源２は、直管形状の捕虫器用光源（ＵＶランプ）であって、筐体４内部の略中央部に配置されており、筐体４の内方両側面に設けられたソケット部（図示しない）に取り付けられる。誘虫光源２から出射される光には、虫の走光曲線又は視感度曲線に基づく誘虫効果の高い紫外光が含まれている。誘虫光源２は、上記紫外光を出射するものであれば特に限定されるものではなく、誘虫光源２の種類としては、例えば、蛍光ランプや冷陰極ランプ、水銀ランプ、キセノンランプ等が挙げられる。
【００１７】
電極部３は、誘虫光源２の長手方向に沿って延在し、互いに対向する格子状の陽極部３１及び陰極部３２で構成されており、陽極部３１及び陰極部３２は筐体４内部に設けられた変圧器６と接続されている。ここで、変圧器６は電源コード７を介して商用電源と接続される。誘虫光源２の前方に位置する電極部３においては、陰極部３２が陽極部３１の前方に配され、誘虫光源２の後方に位置する電極部３においては、陰極部３２が陽極部３１の後方に配されている。なお、陽極部３１及び陰極部３２がそれぞれ変圧器８の異極端子と接続されていれば、上記のような陽極部３１及び陰極部３２の配列順序は限定されるものではない。陽極部３１と陰極部３２間に印加する電圧値は、格子間隔に応じて設定されるものであり、４０００Ｖ以上１００００Ｖ未満が望ましい。
【００１８】
図３乃至図５は、電極部３の構成を示す。陽極部３１は、上述の誘虫光源２の長手方向と平行に略一定間隔に配列された陽極格子（請求項における陽極）３１ａと、複数の陽極格子３１ａの上端及び下端と連接された陽極基部３１ｂとで構成される。本実施形態において、陽極格子３１ａと陽極基部３１ｂは、耐久性のよい導電性のステンレス鋼板をプレス打ち抜き加工することにより一体成形されている。陰極部３２は、上記同様に配列された陰極格子（請求項における陰極）３２ａと、複数の陰極格子３２ａの上端及び下端と連接された陰極基部３２ｂとで構成されており、陰極格子３２ａと陰極基部３２ｂは、陽極部３１と同様に一体成形されている。陽極格子３１ａと陰極格子３２ａは、格子配列方向において互い違いになるように配置されている。つまり、電極部３を正面視したときに、隣り合う陽極格子３１ａ同士の間に陰極格子３２ａが配置されるような位置関係になっている。これにより、虫が陽極格子３１ａと陰極格子３２ａとの隙間を通過する際に、絶縁破壊が起こって放電が発生するようになっている。
【００１９】
陽極格子３１ａは、隣接する陰極格子３２ａとの距離が短くなるように延出する凸状部３１ｃを有している。凸状部３１ｃは具体的に、陽極格子３１ａ長尺板状の幅方向両端縁に凹凸加工が施されることによって形成され、これにより陽極格子３１ａの長手方向に沿って凸状部３１ｃ及び凹状部３１ｄとが連続して複数形成される。凸状部３１ｃと凹状部３１ｄは、陽極格子３１ａの幅方向両端縁において入れ違いに配置されている。言い換えると、陽極格子３１ａの幅方向一端縁に形成された凸状部３１ｃ及び凹状部３１ｄの配列順序が、当該幅方向他端縁に形成された凸状部３１ｃ及び凹状部３１ｄのものと逆転している。凸状部３１ｃ同士の間隔３１ｅは、本器具１が主に捕虫対象とする虫の平均体長以下とされている。
【００２０】
陰極格子３２ａは、陽極格子３１ａと同様に形成される凸状部３２ｃ及び凹状部３２ｄを有しており、凸状部３２ｃは陽極格子３１ａとの距離が短くなるように延出し、電極部３を正面視したときに、当該凸状部３２ｃに対向する陽極格子３１ａの凸状部３１ｃと対峙するように配置されている。凸状部３２ｃ同士の間隔３２ｅは、上述と同様に形成されている。凹凸加工の方法としては、プレス加工やレーザカット等で凹凸状に切り抜く方法が挙げられる。
【００２１】
次に、上記のように構成された電撃殺虫器１の作用について説明する。ユーザにより本器具１の電源が投入されると、誘虫光源２が点灯し、且つ電極部３の陽極部３１と陰極部３２との間に高電圧が印加される。誘虫光源２が点灯していると、器具周辺にいる虫は誘虫光源２から出射された光により誘引され、器具近傍に近寄ってくる。器具近傍に近寄ってきた虫が、陽極格子３１ａと陰極格子３２ａの隙間を通過するとき、当該両格子３１ａ、３２ａ間において絶縁破壊が起こり虫を通して電流が流れて放電が生じる。
【００２２】
図６（ａ）はこのときの放電領域を示し、図６（ｂ）は比較例として上述したような凸状部を有していない従来型の電極部における放電領域を示す。本発明においては、両格子３１ａ、３２ａの凸状部３１ｃ、３２ｃの先端から絶縁破壊が起こって放電領域３３が狭くなっている。それに対して、従来型の電極部においては、虫１０の大きさに応じて両格子１３１ａ、１３２ａの表面部分から絶縁破壊が起こって放電領域３４が広くなっている。放電による電撃を受けて感電した虫は、主として感電の際の発熱によって熱死又は焼死して下方に落下し、虫受皿５に蓄積される。
【００２３】
以上、本実施形態に係る電撃殺虫器１によれば、電極部３において凸状部３１ｃ、３２ｃが配された箇所では、局地的に陽極格子３１ａと陰極格子３２ａとの間隔が小さくなるので、放電領域が狭くなり、電撃音を小さくすることができる。また、陽極格子３１ａの凸状部３１ｃ同士の間隔３１ｅ、及び陰極格子３２ａの凸状部３２ｃ同士の間隔３２ｅが、本器具１が主に捕虫対象とする虫の平均体長以下とされているので、虫が電撃を受けることなく両格子３１ａ、３２ａの隙間をすり抜けることが起こり難い。また、凸状部３１ｃと凹状部３１ｄ、及び凸状部３２ｃと凹状部３２ｄが、陽極格子３１ａ及び陰極格子３２ａの幅方向両端縁において入れ違いに配置されているので、陽極格子３１ａ及び陰極格子３２ａの幅寸法がそれらの長手方向において略一定に保たれることとなり、陽極格子３１ａ及び陰極格子３２ａにおいて機械的強度の弱くなる箇所が配されることがない。さらに、凸状部３１ｃと凸状部３２ｃの各々が、陽極格子３１ａと陰極格子３２ａにおいて一体的に成形されているので、量産が容易であって低コスト化を実現できる。
【００２４】
（第２の実施形態）
本発明の第２の実施形態に係る電撃殺虫器について図７乃至図９を参照して説明する。図７乃至図９は、本実施形態に係る電撃殺虫器１の電極部３の構成を示す。本実施形態において、陽極格子３１ａ及び陰極格子３２ａは棒状部材で成り、陽極格子３１ａの外周には凹凸加工によって凸状部３１ｃ及び凹状部３１ｄが螺旋状に配置されており、陰極格子３２ａの外周には凹凸加工によって凸状部３２ｃ及び凹状部３２ｄが螺旋状に配置されている。また、陽極格子３１ａの凸状部３１ｃは、陰極格子３２ａとの距離が短くなるように延出しており、陰極格子３２ａの凸状部３２ｃは、陽極格子３１ａとの距離が短くなるように延出し、電極部３を正面視したときに、当該凸状部３２ｃに対向する陽極格子３１ａの凸状部３１ｃと対峙するように配置されている。その他の構成については第１の実施形態と同様である。本実施形態の電撃殺虫器１においても、第１の実施形態と同様の効果が得られる。
【００２５】
（第３の実施形態）
本発明の第３の実施形態に係る電撃殺虫器について図１０乃至図１２を参照して説明する。図１０乃至図１２は、本実施形態に係る電撃殺虫器１の電極部３の構成を示す。本実施形態において、陽極格子３１ａ又は陰極格子３２ａは棒状部材で成り、この陽極格子３１ａ又は陰極格子３２ａには当該両格子３１ａ、３２ａと直交する棒状の金属線３１ｆ、３２ｆが複数スポット溶接されており、この金属線３１ｆ、３２ｆが上述したような凸状部となっている。本実施形態の電撃殺虫器１においても、上記同様の効果が得られる。
【００２６】
なお、本発明は、上記各種実施形態の構成に限られず、発明の趣旨を変更しない範囲で種々の変形が可能である。例えば、上記実施形態では、誘虫光源２によって虫を誘引する例を示したが、これに限られず、虫の好む匂いを発するものによって虫を誘引するようにしてもよい。また、凸状部は、陽極格子３１ａ又は陰極格子３２ａのうち少なくとも一方の格子に配されていればよい。
【図面の簡単な説明】
【００２７】
【図１】本発明の第１の実施形態に係る電撃殺虫器を示す斜視図。
【図２】上記電撃殺虫器の側断面図。
【図３】上記電撃殺虫器の電極部を示す斜視図。
【図４】（ａ）は上記電極部の一部を示す正面図、（ｂ）は同電極部を示す側面図。
【図５】上記電極部を示す図４（ａ）のＡ−Ａ線断面図。
【図６】（ａ）は上記電極部における放電領域を示す図、（ｂ）は比較例として従来型の電極部における放電領域を示す図。
【図７】本発明の第２の実施形態に係る電撃殺虫器の電極部を示す斜視図。
【図８】（ａ）は上記電極部の一部を示す正面図、（ｂ）は同電極部を示す側面図。
【図９】上記電極部を示す図８（ａ）のＢ−Ｂ線断面図。
【図１０】本発明の第３の実施形態に係る電撃殺虫器の電極部を示す斜視図。
【図１１】（ａ）は上記電極部の一部を示す正面図、（ｂ）は同電極部を示す側面図。
【図１２】上記電極部を示す図１１（ａ）のＣ−Ｃ線断面図。
【符号の説明】
【００２８】
１  電撃殺虫器（捕虫器）
２  誘虫光源（誘虫部）
３  電極部
３１ａ  陽極格子（陽極）
３２ａ  陰極格子（陰極）
３１ｃ、３２ｃ  凸状部
３１ｄ、３２ｄ  凹状部
【図１】
0005112158.tif 000002
【図２】
0005112158.tif 000003
【図３】
0005112158.tif 000004
【図４】
0005112158.tif 000005
【図５】
0005112158.tif 000006
【図６】
0005112158.tif 000007
【図７】
0005112158.tif 000008
【図８】
0005112158.tif 000009
【図９】
0005112158.tif 000010
【図１０】
0005112158.tif 000011
【図１１】
0005112158.tif 000012
【図１２】
0005112158.tif 000013